(57)【要約】【課題】    本発明は、ディスクカートリッジを機器装置に装着するまでの間にディスク状記録媒体に記録に不要な光が当たらない構造を有するディスクカートリッジを提供することを目的とするものである。【解決手段】  ディスク状記録媒体を回転自在に収納する上下一対のハーフシェルからなるケース本体と、摺動可能に設けられたスライダーと、スライダーに固着されてケース本体に形成された駆動軸挿入窓及びヘッドアクセス窓を一方向に開閉可能なシャッタを備えたディスクカートリッジにおいて、シャッタの開方向側の端面がシェル側にＬ字状折曲げ部を有し、その先端よりシェルの窓部端面側が少なくともシャッタ側に突出部を形成している。シャッタ閉止状態においてシャッタの自由端部と閉方向側の端部を重ねるようにＬ字型のシャッタ押え板を設けていることを特徴とするディスクカートリッジ。【選択図】      図２
2006155727.tif 000002
【特許請求の範囲】
【請求項１】
ディスク状記録媒体を回転自在に収納する上下一対のハーフシェルからなるケース本体と、前記ケース本体の前側端縁に沿って摺動可能に設けられたスライダーと、該スライダーに固着されて該ケース本体に形成された駆動軸挿入窓及びヘッドアクセス窓を一方向に摺動することにより開閉可能とした金属製開閉板を備えたディスクカートリッジにおいて、前記シャッタの開方向側の端面がシェル側に向かって略直角に折り曲げられたＬ字状折曲げ部を有するとともに、前記シャッタのＬ字状折曲げ部が摺動する前記シェル表面の窓部端面側に少なくともシャッタのＬ字状折曲げ部先端よりもシャッタ側に突出した突出部を形成していることを特徴とするディスクカートリッジ。
【請求項２】
前記シャッタ閉止状態においてディスクカートリッジ厚み方向にシャッタの自由端部と閉方向側の端部を重ねるようにＬ字型のシャッタ押え板を設けることを特徴とする請求項１に記載のディスクカートリッジ。
【請求項３】
ケース本体のシャッタ摺動部において、ケース本体の先端部の面と該ケース本体に形成された駆動軸挿入窓及びヘッドアクセス窓部の面とに段差を設けると共にシャッタも前記段差に沿って段差を設けることを特徴とする請求項１ないし請求項２のいずれかに記載のディスクカートリッジ。
【請求項４】
前記Ｌ字型のシャッタ押え板のシャッタの自由端部と重なる先端部分にシャッタ側に向かって凸状のリブをシャッタ開閉方向に沿って設けることを特徴とする請求項１ないし請求項３のいずれかに記載のディスクカートリッジ。
【請求項５】
前記シャッタの自由端部と接する上ハーフシェル及び下ハーフシェルの外面にシャッタ開閉方向に沿ってリブを設けることを特徴とする請求項１ないし請求項３のいずれかに記載のディスクカートリッジ。
【請求項６】
前記上ハーフシェル、下ハーフシェルの各々の内面にディスク状記録媒体の外周側を囲む略円形状のリブを２本以上有し、該リブは高さが異なる段差部を有し、且つ、それぞれのリブの高さが異なり、上ハーフシェルと下ハーフシェルを合わせた際に各々のリブの先端面で接することを特徴とする請求項１ないし請求項５のいずれかに記載のディスクカートリッジ。
【発明の詳細な説明】
【技術分野】
【０００１】
本発明は、ディスク状記録媒体を回転自在に収納するディスクカートリッジに関し、さらに詳しくは、収納されたディスク状記録媒体に対する外部からの遮光性に優れたディスクカートリッジの構造に関するものである。
【背景技術】
【０００２】
高密度画像データなどの容量の大きな情報を書き込み可能な記録媒体として光記録媒体がある。そのような記録媒体としては、光磁気ディスクなどの記録媒体が既に実用化されているが、光記録媒体に対する大容量化への要求は高まる一方である。最近では数１００Ｇバイトの大容量化光ディスク技術も研究開発され記録素材にフォトポリマーなどの光感光層を備えた記録媒体が開発されている（例えば特許文献１参照）。このような記録媒体は記録素材に光を当てることで記録が行われるため、記録に不要な光を当てると記録素材が感光する可能性がある。
【０００３】
従来から、光ディスク、光磁気ディスク等の円盤形状をしたディスク状記録媒体を機器装置にローディングするために、ディスク状記録媒体を回転自在に収納するディスクカートリッジが使用されている。ディスクカートリッジには、片面のみ読み書き可能なタイプと両面読み書き可能なタイプがある。シャッタにも（１）ケース本体の両面の対向する位置に形成されたヘッドアクセス窓及び駆動軸挿入窓を略コの字状の一つのシャッタで閉じられた状態に維持するタイプと、（２）ケース本体の両面の対向する位置に形成されたヘッドアクセス窓及び駆動軸挿入窓をそれぞれ独立して一方向へスライド自在に取付けられた断面略Ｌ字状の二つのシャッタからなるタイプとがある。そして、ディスクカートリッジは、未使用時にゴミ等の異物がヘッドアクセス窓及び駆動軸挿入窓から侵入するのを防止する意味のために、ヘッドアクセス窓及び駆動軸挿入窓がシャッタで閉じられた状態を維持するように構成されている（例えば特許文献２参照）
【０００４】
しかしながら、かかるディスクカートリッジでは異物侵入防止はできても、シャッタと上下ハーフシェルからなるケース本体との係合部は平面で重なり部が設けられているだけで、その重なり部から光が侵入し記録素材にあたるという欠点があった。また、上下ハーフシェルの係合部からも光が侵入し記録素材にあたり、遮光性を考慮した構造にはなっていない。
【０００５】
【特許文献１】特開２００２−１２３９４９
【特許文献２】実開平３−１０６５７９
【発明の開示】
【発明が解決しようとする課題】
【０００６】
そこで本発明は、上記問題に鑑みてなされたものであり、その目的とするところは、ディスクカートリッジをディスク状記録媒体に記録を行うために機器装置に装着するまでにディスク状記録媒体に光が当たらない構造を有するディスクカートリッジを提供することにある。
【課題を解決するための手段】
【０００７】
本発明者は、上記の目的を達成するため、請求項１記載の発明は、ディスク状記録媒体を回転自在に収納する上下一対のハーフシェルからなるケース本体と、前記ケース本体の前側端縁に沿って摺動可能に設けられたスライダーと、該スライダーに固着されて該ケース本体に形成された駆動軸挿入窓及びヘッドアクセス窓を一方向に開閉可能な金属製開閉板を備えたディスクカートリッジにおいて、該シャッタの開方向側の端面がシェル側にＬ字状折曲げ部を有し、シェルは窓部端面側が少なくともシャッタのＬ字状折曲げ部先端よりもシャッタ側に突出部を形成していることを特徴とするものである。
【０００８】
また、請求項２記載の発明は、請求項１に記載のディスクカートリッジにおいて前記シャッタ閉止状態においてディスクカートリッジ厚み方向にシャッタの自由端部と閉方向側の端部を重ねるようにＬ字型のシャッタ押え板を設けたことを特徴とするものである。
【０００９】
また、請求項３記載の発明は、請求項１ないし請求項２のいずれかに記載のディスクカートリッジのケース本体のシャッタ摺動部において、ケース本体の先端部の面と該ケース本体に形成された駆動軸挿入窓及びヘッドアクセス窓部の面とに段差を設けると共にシャッタも前記段差に沿って段差を設けたことを特徴とするものである。
【００１０】
また、請求項４記載の発明は、請求項１ないし請求項３のいずれかに記載のディスクカートリッジにおいて前記Ｌ字型のシャッタ押え板のシャッタの自由端部と重なる先端部分にシャッタ側に向かって凸状のリブをシャッタ開閉方向に沿って設けたことを特徴とするものである。
【００１１】
また、請求項５記載の発明は、請求項１ないし請求項３のいずれかに記載のディスクカートリッジにおいて前記シャッタの自由端部と接する上ハーフシェル及び下ハーフシェルの外面にシャッタ開閉方向に沿ってリブを設けたことを特徴とするものである。
【００１２】
また、請求項６記載の発明は、請求項１ないし請求項５のいずれかに記載のディスクカートリッジにおいて前記上ハーフシェル、下ハーフシェルの各々の内面にディスク状記録媒体の外周側を囲む略円形状のリブを２本以上有し、該リブは高さが異なる段差部を有し、且つ、それぞれのリブの高さが異なり、上ハーフシェルと下ハーフシェルを合わせた際に各々のリブの先端面で接することを特徴とするものである。
【００１３】
上記のように構成することにより、さらには、上下ハーフシェルに遮光性を備えた素材を使用することにより遮光性に優れたディスクカートリッジとすることができる。
【発明の効果】
【００１４】
従来のディスクカートリッジではディスクカートリッジの外部から記録に不要な光が侵入する主要な部位としてディスクカートリッジを構成する各部品の係合部が挙げられる。
【００１５】
本発明のディスクカートリッジは、請求項１に記載のようにシャッタの開方向側の端面がシェル側にＬ字状折曲げ部を有し、シェルは窓部端面側が少なくともシャッタのＬ字状折曲げ部先端よりもシャッタ側に突出部を形成していることによりシャッタの開方向側の端面とケース本体に形成された駆動軸挿入窓及びヘッドアクセス窓部がある上下ハーフシェルとの係合部から侵入する光を遮光できる効果がある。
【００１６】
また、以下に遮光の度合いに応じて、請求項２に記載のようにシャッタ閉止状態においてディスクカートリッジ厚み方向にシャッタの自由端部と閉方向側の端部を重ねるようにＬ字型のシャッタ押え板を設けることによりシャッタ閉止状態においてシャッタ閉方向側の端部と上下ハーフシェルとの係合部から侵入する光を遮光できる効果がある。
【００１７】
本発明のディスクカートリッジは、請求項３に記載のようにケース本体の先端部の面と該ケース本体に形成された駆動軸挿入窓及びヘッドアクセス窓部の面とに段差を設けると共にシャッタも前記段差に沿って段差を設けることによりシャッタとケース先端部の係合部から侵入する光を遮光できる効果がある。
【００１８】
本発明のディスクカートリッジは、請求項４に記載のように前記Ｌ字型のシャッタ押え板のシャッタの自由端部と重なる先端部分にシャッタ側に向かって凸状のリブをシャッタ開閉方向に沿って設けることによりケース本体とシャッタおよびシャッタ押さえ板の各接合部の隙間を最小にできシャッタの自由端とシャッタ押え板との係合部およびシェル本体の表面とシャッタ自由端との係合部から侵入する光を遮光できる効果がある。
【００１９】
本発明のディスクカートリッジは、請求項５に記載のように前記シャッタの自由端部と接する上ハーフシェル及び下ハーフシェルの外面にシャッタ開閉方向に沿ってリブを設けることによりケース本体とシャッタおよびシャッタ押さえ板の各接合部の隙間を最小にできシャッタの自由端とシャッタ押え板との係合部およびシェル本体の表面とシャッタ自由端との係合部から侵入する光を遮光できる効果がある。
【００２０】
本発明のディスクカートリッジは、請求項６に記載のように前記上ハーフシェル、下ハーフシェルの各々の内面にディスク状記録媒体の外周側を囲む略円形状のリブを２本以上有し、該リブは高さが異なる段差部を有し、且つ、それぞれのリブの高さが異なり、上ハーフシェルと下ハーフシェルを合わせた際に各々のリブの先端面で接することにより迷路ができ、外部からの直進光の侵入を防止でき、上ハーフシェルと下ハーフシェルとを合わせて一体化するときの上下ハーフシェル内面の係合部から侵入する光を遮光できる効果がある。
【００２１】
本発明のディスクカートリッジは、上下ハーフシェルに遮光性素材を用いる或いは、遮光性材料を添加した樹脂を成型することによりケース本体自体からの光侵入を防止できる。
【発明を実施するための最良の形態】
【００２２】
以下に本発明について、図面等を用いて詳述する。
【００２３】
本発明のディスクカートリッジは直進する光を遮る構造にしていることが特徴であり、図１は本発明のディスクカートリッジの一実施形態の上ハーフシェル側からの平面図を示し、図２は本発明のディスクカートリッジの概略を表す斜視図である。図３から図６は本発明の構造の要部を示す断面図であり、図３は図１のＡ−Ａ線における断面図である。図４は図１のＢ−Ｂ線における断面図である。図５は図１のＣ−Ｃ線における断面図である。図６は図１のＤ−Ｄ線における断面図である。図１０は本発明の図６の他の実施形態である。図７は下ハーフシェルの内面を図８は上ハーフシェルの内面を示す平面図であって、それぞれの面を合わせて一体化される。図９は下ハーフシェル内面の斜視図であって、下ハーフシェルの内面に設けているディスク状記録媒体の外周側を囲む略円形状の２本のリブの段差の概略を示すものである。
【００２４】
まず図１〜図９により本発明の一実施形態を説明する。図１及び図２において符号１はディスクカートリッジである。該ディスクカートリッジ１は上ハーフシェル１０と下ハーフシェル２０からなるケース本体２と、該ケース本体２の前側端縁３に沿って摺動可能に設けられたスライダー４（図５参照）と、該スライダー４に固着されてケース本体２に形成された上ハーフシェル１０に設けられた駆動軸挿入窓１１（図８参照）及び下ハーフシェル２０に設けられた駆動軸挿入窓及びヘッドアクセス窓２１（図７参照）を一方向に開閉可能なシャッタ３０からなっている。
【００２５】
図３に示すように、シャッタ３０の開方向側の端面はシェル側に向かって略直角に折り曲げられたＬ字状折曲げ部３１を有し、上ハーフシェル１０および下ハーフシェル２０の各々の表面には窓部端面側にＬ字状折曲げ部３１の先端よりシャッタ側に突出する突出部５が設けられており外部光の侵入を遮断でき、ケース本体に収納されたディスク状記録媒体７に外部光が当たることを防止できる。
【００２６】
次にシャッタ押え板３５による遮光を図４および図６を用いて説明する。まず、図４は図１にてＢ−Ｂ線の断面図であり、図６は図１にてＤ−Ｄ線の断面図である。図４に示すように、シャッタの閉方向側の端部３２のディスクカートリッジ厚み方向に重ねるようにＬ字型のシャッタ押え板３５を設ける構造としている。その構造によって外部光の遮光が可能である。また、図６に示すように、シャッタの自由端部３３も同様にＬ字型のシャッタ押え板３５を設ける構造としている。その構造によって外部光の遮光が可能である。さらに、図６に示すようにシャッタの自由端部３３と接する上ハーフシェル１０及び下ハーフシェル２０の外面にシャッタ開閉方向に沿って凸状のリブ１２，２２を設けることによりシャッタ自由端部３３とケース本体２との隙間及びＬ字型のシャッタ押え板３５との隙間をなくする構造としている。その構造によって、シャッタ押え板３５とシャッタ自由端３３と上ハーフシェル１０及び下ハーフシェル２０の外面との係合部からの遮光が可能である。尚、図６に示した凸状リブ１２，２２は上ハーフシェル１０、下ハーフシェル２０と区別して表示しているがハーフシェルの射出成型時に一体成型されるものである。
【００２７】
次にケース本体の先端部６の面とケース本体に形成された駆動軸挿入窓１１と駆動軸挿入窓及びヘッドアクセス窓２１の面とに設けた凸状の段差１３，２３による遮光を図５を用いて説明する。図５は図１にてＣ−Ｃ線の断面図である。に示すようにケース本体の先端部６の面がケース本体に形成された駆動軸挿入窓１１（図８参照）と駆動軸挿入窓及びヘッドアクセス窓２１（図７参照）の面よりシャッタ側に凸状の段差１３，２３を設ける構造としている。その構造によってケース本体の先端部からの遮光を可能とする。本願で示した実施形態例では前述の通りであるが、ケース本体の先端部６の面が駆動軸挿入窓１１と駆動軸挿入窓及びヘッドアクセス窓２１の面とに段差を設ければケース本体の先端部からディスク状記録媒体７への遮光には効果があり、実施例とは逆にケース本体に形成された駆動軸挿入窓１１と駆動軸挿入窓及びヘッドアクセス窓部２１の面がケース本体の先端部６の面よりシャッタ側に凸状の段差にしてもよく、同じ効果がある。
【００２８】
次に上ハーフシェル１０の内面に設けた段差を有するリブ１４，１５及び下ハーフシェル２０の内面に設けた段差を有するリブ２４，２５による遮光を図５および図９を用いて説明する。まず、図５は図１にてＣ−Ｃ線の断面図であり、図９は図７に示した下ハーフシェル２０の内面の斜視図である。図５及び図９に示すように下ハーフシェル２０の内面にディスク状記録媒体の外周側を囲む略円形状の段差を有するリブ２４とさらに、その段差を有するリブ２４の外周に略円形状の段差を有するリブ２５を有し、かつ、段差を有するリブ２４の高さが段差を有するリブ２５より高くした構造としている。一方、図５に示すように上ハーフシェル１０の内面には下ハーフシェル２０の段差を有するリブ２４，２５に対向する位置に段差を有するリブ１４，１５を有しており、さらに、段差を有するリブ１５は段差を有するリブ１４より高い構造としている。そして上ハーフシェル１０と下ハーフシェル２０を合わせて一体化する際に段差を有するリブ２４と段差を有するリブ１４、段差を有するリブ２５と段差を有するリブ１５の各々のリブの先端面で接する構造としている。その構造とすることによって、上下ハーフシェル内面の係合部からの外部光の侵入を防止できる。尚、前述のリブは段差を設けずにディスク状記録媒体の外周側を囲む略円形状のリブとさらに、前記リブの外周に設けた略円形状のリブの高さを変える構造にしても遮光効果があり、遮光性の度合いに応じて選択すればよい。
【００２９】
本発明のディスクカートリッジの上ハーフシェル１０及び下ハーフシェル２０には一般的な遮光性付与技法として、カーボンブラックで黒着色したポリカーボネート樹脂を使用しケース本体に遮光性を付与できる。
【００３０】
次に図１０を用いて本発明の他の実施形態について説明する。前記実施例の図６にてＬ字型シャッタ押え板３５とシャッタ自由端部３３との重なり部の遮光について記述したが、本実施形態ではＬ字型シャッタ押え板３５に凸状リブ３４を設け、その他は前記実施例と同じとした例を図１０に示す。図１０にはＬ字型のシャッタ押え板３５のシャッタの自由端部３３と重なる先端部分にシャッタ側に向かって凸状のリブ３４を設け、シャッタ自由端部３３とケース本体２とＬ字型のシャッタ押え板３５との隙間をなくすることによって外部の光の侵入を防止した。
【図面の簡単な説明】
【００３１】
【図１】本発明にかかるディスクカートリッジの一実施形態の平面図である。
【図２】図１斜視図である。
【図３】図１のＡ−Ａ線の断面図である。
【図４】図１のＢ−Ｂ線の断面図である。
【図５】図１のＣ−Ｃ線の断面図である。
【図６】図１のＤ−Ｄ線の断面図である。
【図７】下ハーフシェル内面の平面図である。
【図８】上ハーフシェル内面の平面図である。
【図９】図７の斜視図である。
【図１０】他の実施形態の図１のＤ−Ｄ線相当部における断面図である。
【符号の説明】
【００３２】
１                      ディスクカートリッジ
２                      ケース本体
３                      前側端縁
４                      スライダー
５                      突出部
６                      ケース本体の先端部
７                      ディスク状記録媒体
１０                    上ハーフシェル
１１                    駆動軸挿入窓
１２                    凸状のリブ
１３                    凸状の段差
１４                    段差を有するリブ
１５                    段差を有するリブ
２０                    下ハーフシェル
２１                    駆動軸挿入窓及びヘッドアクセス窓
２２                    凸状のリブ
２３                    凸状の段差
２４                    段差を有するリブ
２５                    段差を有するリブ
３０                    シャッタ
３１                    Ｌ字状折曲げ部
３２                    閉方向側の端部
３３                    シャッタの自由端部
３４                    凸状のリブ
３５                    Ｌ字型のシャッタ押え板
【図１】
2006155727.tif 000003
【図２】
2006155727.tif 000004
【図３】
2006155727.tif 000005
【図４】
2006155727.tif 000006
【図５】
2006155727.tif 000007
【図６】
2006155727.tif 000008
【図７】
2006155727.tif 000009
【図８】
2006155727.tif 000010
【図９】
2006155727.tif 000011
【図１０】
2006155727.tif 000012